【手続補正書】
【提出日】平成17年1月28日(2005.1.28)
【手続補正１】
【補正対象書類名】明細書
【補正対象項目名】発明の名称
【補正方法】変更
【補正の内容】
【発明の名称】レンズ鏡筒
【手続補正２】
【補正対象書類名】明細書
【補正対象項目名】特許請求の範囲
【補正方法】変更
【補正の内容】
【特許請求の範囲】
【請求項１】
固定筒と、該固定筒に対し光軸方向に回転繰り出し作動する移動群と、該移動群に一体的に固定される電気装置と、該固定筒と一体的な固定部に取り付けられた該電気装置を制御するための制御部と、該電気装置と該制御部とを接続するための可撓性プリント配線接続部材と、該可撓性プリント配線接続部材を該制御部に対し該固定筒の光軸方向とほぼ平行に固定保持するための固定側保持部材とを有し、該可撓性プリント配線接続部材はプリント配線面を該固定筒の光軸に対し放射方向とほぼ平行に配設することを特徴とするレンズ鏡筒。
【請求項２】
該可撓性プリント配線接続部材が該固定側保持部材により該固定筒の光軸方向とほぼ平行にＳ字状に配設されていることを特徴とする請求項１記載のレンズ鏡筒。
【請求項３】
該電気装置が一体的に固定される該移動群には、該固定筒の光軸方向にほぼ平行に該可撓性プリント配線接続部材を保持するための可動側保持部材を設けることを特徴とする請求項１または２記載のレンズ鏡筒。
【請求項４】
該電気装置が電気的絞り装置であることを特徴とする請求項１、２、３のいずれかに記載のレンズ鏡筒。
【請求項５】
該電気装置が電気的シャッタ装置であることを特徴とする請求項１、２、３のいずれかに記載のレンズ鏡筒。
【手続補正３】
【補正対象書類名】明細書
【補正対象項目名】０００１
【補正方法】変更
【補正の内容】
【０００１】
【発明の属する技術分野】  本発明は、回転繰り出しする移動レンズ群に一体的に取付けられた電気的絞り装置等の電気装置を有するレンズ鏡筒に関するものである。
【手続補正４】
【補正対象書類名】明細書
【補正対象項目名】０００３
【補正方法】変更
【補正の内容】
【０００３】  
【発明が解決しようとする課題】  ところが、前述従来例１では弛んだ際のリード線やフレキシブルプリント配線板が固定筒内の他の移動レンズ群や他の部材に接触してストレスや断線等が生じないように広いスペースを与える必要があり、レンズ鏡筒自体の小型化には不適切であった。
また、前述従来例２では移動部材が固定筒に対し光軸方向に直進移動する場合にしか対応せず、電気的絞り装置が回転繰り出しするような移動群に固定される場合には用いることができなかった。
さらには前述従来例３では固定筒内にフレキシブルプリント配線板がらせん状に配置できるだけの周方向のスペースが必要になり、また、らせん状を展開したフレキシブルプリント配線板では製造する際の面積が大きくなり、コストがかかるという問題点もあった。
【手続補正５】
【補正対象書類名】明細書
【補正対象項目名】０００４
【補正方法】変更
【補正の内容】
【０００４】
本発明は、前述従来技術の欠点を除去し、固定筒に対しフォーカシングあるいはズーミングのために光軸方向に回転繰り出しする移動群に一体的に取付けられる電気的絞り装置あるいは電気的シャッタ装置等の電気装置と固定部に配置される制御部とをフレキシブルプリント配線板で電気的に接続するのに、必要以上のスペースやコストをかけないレンズ鏡筒を提供することを目的とする。
【手続補正６】
【補正対象書類名】明細書
【補正対象項目名】０００６
【補正方法】変更
【補正の内容】
【０００６】
【発明の実施の態様】  請求項１に示す本発明は、固定筒と、該固定筒に対し光軸方向に回転繰り出し作動する移動群と、該移動群に一体的に固定される電気装置と、該固定筒と一体的な固定部に取り付けられた該電気装置を制御するための制御部と、該電気装置と該制御部とを接続するための可撓性プリント配線接続部材と、該可撓性プリント配線接続部材を該制御部に対し該固定筒の光軸方向とほぼ平行に固定保持するための固定側保持部材とを有し、該可撓性プリント配線接続部材はプリント配線面を該固定筒の光軸に対し放射方向とほぼ平行に配設することにより、電気装置と固定部に配置されている制御部とを電気的に接続する場合に、可撓性プリント配線接続部材が光軸方向にも周方向にも可動となる。
【手続補正７】
【補正対象書類名】明細書
【補正対象項目名】０００７
【補正方法】変更
【補正の内容】
【０００７】
請求項２に示す本発明は該可撓性プリント配線接続部材が該固定側保持部材により該固定筒の光軸方向とほぼ平行にＳ字状に配設されていることにより、可撓性プリント配線接続部材に、よりストレスをかけることなく作動を可能にする。
請求項３に示す本発明は該電気装置が一体的に固定される該移動群には、該固定筒の光軸方向にほぼ平行に該可撓性プリント配線接続部材を保持するための可動側保持部材を設けることにより、可動側保持部材と固定側保持部材に保持されたフレキシブルプリント配線接続部材の可動領域が省スペースに限定することができる。
請求項４に示す本発明は該電気装置が電気的絞り装置であることにより、回転繰り出しを行うことのできる電気的絞り装置が可能となり、より自由度の高い設計を可能とする。
請求項５に示す本発明は該電気装置が電気的シャッタ装置であることにより、回転繰り出しを行うことのできる電気的シャッタ装置が使用でき、より自由度の高い設計を可能とする。
【手続補正８】
【補正対象書類名】明細書
【補正対象項目名】００１１
【補正方法】変更
【補正の内容】
【００１１】
次に、以上の構成の本実施例の動作を説明する。
ズーム位置をワイドからテレに移行させようとする時は、ズーム操作環５を回転すると、ズーム操作環５の内径面の凸カム部５ａと係合する直進筒３のカムフォロア部３ｃにより、直進筒３は固定筒１の直進ガイド溝１ａに直進ガイドキー１０がガイドされ直進移動する。この時、該直進筒３の内径面の凸カム部３ａに係合しているコロ１１は、直進筒３の凸カム部３ａと該固定筒１の３群カム１ｂとの交点に移動するため、コロ１１を保持する３群鏡筒７は該固定筒１の３群カム１ｂに沿って移動することになる。
【手続補正９】
【補正対象書類名】明細書
【補正対象項目名】００１４
【補正方法】変更
【補正の内容】
【００１４】
【発明の効果】  以上説明したように、請求項１に示す本発明は、固定筒と、該固定筒に対し光軸方向に回転繰り出し作動する移動群と、該移動群に一体的に固定される電気装置と、該固定筒と一体的な固定部に取り付けられた該電気装置を制御するための制御部と、該電気装置と該制御部とを接続するための可撓性プリント配線接続部材と、該可撓性プリント配線接続部材を該制御部に対し該固定筒の光軸方向とほぼ平行に固定保持するための固定側保持部材とを有し、該可撓性プリント配線接続部材はプリント配線面を該固定筒の光軸に対し放射方向とほぼ平行に配設することにより、可撓性プリント配線接続部材が光軸方向及び周方向に可動することを省スペースで可能にしたので、固定筒に対しフォーカシングあるいはズーミングのために光軸方向に回転繰り出しする移動群に電気装置を一体的に取り付けることが可能となり、より自由度の高い光学設計及び鏡筒設計が可能となる。
【手続補正１０】
【補正対象書類名】明細書
【補正対象項目名】００１５
【補正方法】変更
【補正の内容】
【００１５】
請求項２に示す本発明は該可撓性プリント配線接続部材が該固定側保持部材により該固定筒の光軸方向とほぼ平行にＳ字状に配設されていることにより、可撓性プリント配線接続部材に、よりストレスをかけない作動を可能にする。
請求項３に示す本発明は該電気装置が一体的に固定される該移動群には、該固定筒の光軸方向にほぼ平行に該可撓性プリント配線接続部材を保持するための可動側保持部材を設けることにより、可動側保持部材と固定側保持部材に保持されたフレキシブルプリント配線接続部材の可動領域が省スペースに限定することが可能となる。
請求項４に示す本発明は該電気装置が電気的絞り装置であることにより、回転繰り出しを行うことのできる電気的絞り装置を有するレンズ鏡筒を実現可能とする。
請求項５に示す本発明は該電気装置が電気的シャッタ装置であることにより、回転繰り出しを行うことのできる電気的シャッタ装置を有するレンズ鏡筒を実現可能とする。
【手続補正１１】
【補正対象書類名】明細書
【補正対象項目名】符号の説明
【補正方法】変更
【補正の内容】
【符号の説明】  １・・固定筒、１ａ・・直進ガイド溝、１ｂ・・３群カム、１ｃ・・５群カム、２・・マウント、３・・直進筒、３ａ・・凸カム部、３ｂ・・オスヘリコイド、３ｃ・・カムフォロア部、４・・メスヘリコイド環、４ａ・・１群鏡筒、４ｂ・・メスヘリコイド、５・・ズーム操作環、５ａ・・凸カム部、６・・２群鏡筒、７・・３群鏡筒、７ａ・・フレキガイド部、８・・４群鏡筒、９・・５群鏡筒、１０・・直進ガイドキー、１１・・コロ、１２・・コロ軸、１３・・ビス、１４・・ガイド板、１４ａ・・ビス、１５・・制御回路、１５ａ・・コネクタ部、２０・・電磁絞り装置、２１・・フレキシブルプリント配線板。